(57)【要約】【課題】  従来の大容量型の投光器においては、筐体に熱が篭り、ＬＥＤ素子の性能を十分に発揮することができないという弊害が生じた。【解決手段】  ＬＥＤ光源Ａを収容した筐体１を円盤状に構成し、その平面部５に放射方向にして多数の横凹溝６を設ける。前記平面部６に熱的に接続するボス部７を設け、このボス部７の外周面に前記横凹溝６と交差する方向にして多数の立凹溝９を設ける。そして、これら横凹溝６と立凹溝９に嵌合するようにプレート状の放熱フィン１０を配設する。放熱フィン１０には、必要に応じて空気流通穴２０を設ける。【選択図】  図１
2014011100.tif 000002
【特許請求の範囲】
【請求項１】
筐体と、この筐体に収容されたＬＥＤ光源とを有し、上記ＬＥＤ光源を実装した基板が前記筐体に対して熱的に接続されており、筐体の外周面には多数の放熱フィンが配設されているＬＥＤ照明器具において、
前記筐体を円盤状に構成して、その平面部に放射方向にして多数の横凹溝を設ける一方、前記平面部に熱的に接続するボス部を設け、このボス部の外周面に前記横凹溝と交差する方向にして多数の立凹溝を設け、さらにこれら横凹溝と立凹溝に嵌合するようにプレート状の放熱フィンを配設したことを特徴とするＬＥＤ照明器具。
【請求項２】
放熱フィンに空気流通穴を設けたことを特徴とする請求項１のＬＥＤ照明器具。
【発明の詳細な説明】
【技術分野】
【０００１】
本発明は、優れた放熱性を発揮するＬＥＤ照明器具に関するものである。
【背景技術】
【０００２】
近年、省エネ意識の高揚から照明分野においても、従来の白熱電球、蛍光灯などに代えてＬＥＤ（発光ダイオード）光源を用いた照明器具が多用されるようになっている。このＬＥＤ光源は高輝度化が日進月歩で進む中、大容量型の屋外用投光器などにも用いられ、多種のものが市場に現われている。
【先行技術文献】
【特許文献】
【０００３】
【特許文献１】特開２０１１−１９２５５７号公報
【特許文献２】意匠登録第１３９１９０７号公報
【発明の概要】
【発明が解決しようとする課題】
【０００４】
先行技術に開示されたものは、ＬＥＤ素子を光源とし、これを収容する金属製の筐体の外周面に多数の放熱フィンを備えた点で共通である。そして、光源で発生した熱をこの放熱フィンを通して外方へ放散できるようにしたものである。放熱フィンは、表面積を採るために数量が多く、また薄片状のものが好ましい。
【０００５】
ここで、従来のものは製作の都合上、筐体と一体的に鋳造（アルミダイキャスト、ロストワックスなどの手法）したものである。よって製造技術の点、例えば湯の流れなどを考慮したとき薄片状に構成することができず、また面積を大きくとることができないという問題があった。このため、特に大容量型の投光器などにおいては、筐体に熱が篭り、ＬＥＤ素子の性能を十分に発揮することができないという弊害が生じた。
【０００６】
本発明は、上記の課題に着目してなされたものであり、発熱量が大きい大容量型のものであっても十分な放熱効果を期待することができ、ＬＥＤ素子の性能をフルに発揮することができるＬＥＤ照明器具を提供することを目的としている。
【課題を解決するための手段】
【０００７】
上記の課題を解決するために、本発明に係るＬＥＤ照明器具は、筐体と、この筐体に収容されたＬＥＤ光源とを有し、上記ＬＥＤ光源を実装した基板が前記筐体に対して熱的に接続されており、筐体の外周面には多数の放熱フィンが配設されているＬＥＤ照明器具において、前記筐体を円盤状に構成して、その平面部に放射方向にして多数の横凹溝を設ける一方、前記平面部に熱的に接続するボス部を設け、このボス部の外周面に前記横凹溝と交差する方向にして多数の立凹溝を設け、さらにこれら横凹溝と立凹溝に嵌合するようにプレート状の放熱フィンを配設したことを特徴としたものである。
【０００８】
また本発明に係るＬＥＤ照明器具は、請求項１における放熱フィンに空気流通穴を設けたことを特徴とするものである。
【発明の効果】
【０００９】
このように構成した課題解決手段によれば、放熱フィンと筐体とを別体で製作することができる。このため、鋳造上の制限を受けることがなく、放熱フィンを薄片状にして面積を大きくすることができる。このため、発熱量が大きい大容量型のものであっても十分な放熱効果を期待することができ、ＬＥＤ素子の性能をフルに発揮することができるという優れた効果を発揮する。
【００１０】
また請求項２のように構成したときは、放熱フィンの間に篭る熱を空気の流通によって効率的に外方へ逃すことができ、より高い放熱効果を得ることができる。
【図面の簡単な説明】
【００１１】
【図１】本発明に係るＬＥＤ照明器具の一部縦断正面図である。
【図２】同じく、平面図である。
【図３】同じく、筐体の構造を示す平面図である。
【図４】同じく、ボス部の構造を示す横断平面図である。
【図５】放熱フィンの他の実施例を示す正面図である。
【発明を実施するための形態】
【００１２】
以下、本発明に係るＬＥＤ照明器具を一実施例について説明する。
【００１３】
図１〜図２において、１は概略して円盤状をなすアルミダイキャスト製の筐体  この筐体１内には、実装基板２とＬＥＤ素子３からなるＬＥＤ光源Ａを収容する。ＬＥＤ光源Ａからの放射光は、図面下方のカバー板４を通して外方に照射される。
【００１４】
筐体１における上面には平面部５を形成してあり、この平面部５に放射状の横凹溝６を設ける。この横凹溝６は、平面部５の中心方向に向けて配列した多数（実施例では３６本）の直線溝からなる。
【００１５】
７は平面部５の中心にして、そこから立ち上がるように配設した円筒状のボス部  このボス部７の底面部と平面部５とは固定ネジ８によって固定され、熱的にも接続される。９はボス部７の外周面に等間隔で設けた立凹溝  この立凹溝９は前記した横凹溝６と同数であり、これに合致するように配設される。
【００１６】
１０は一側に垂直辺ａを、下側に水平辺ｂを設けると共に、他側にテーパ受部ｃを上側にテーパ受部ｄを設けたプレート状の放熱フィン  上記の水平辺ｂは平面部５の横凹溝６に、垂直辺ａはボス部７の立凹溝９に嵌合されており、それぞれ熱的に接続される。この放熱フィン１０は薄厚（実施例では１．５ｍｍ）で放熱性の良好なアルミ材で製作する。
【００１７】
１１はテーパ受部ｃに当接する上部の押圧リング  １２は押圧リング１１を締め付け固定する締付リング  １３はテーパ受部ｄの外周に当接する下部の押圧リング  １４は押圧リング１３を締め付け固定する締込ネジである。
【００１８】
１５はボス部７の上部に取りつけた合成樹脂製の取付筒  １６は取付筒１５に固定した口金であり、実装基板２のＬＥＤ素子３に電力を供給するものである。
【００１９】
一実施例の構成は上記の通りであり、放熱フィン１０を薄厚のプレート状に構成し、これを多数枚配設することができる。このため、優れた放熱効果を発揮することができる。また鋳物製に比較して大きな表面積をとることができる点でも優れている。さらに放熱フィン１０と筐体１とは別体であるので、別の放熱性の高い金属を用いることもできる。
【００２０】
なお、放熱フィン１０は、図５の実施例のように空気流通穴２０を設けることができる。この空気流通穴２０によれば、空気の対流により効果的に放熱を行うことができる。また放熱フィン１０の材質としては、熱伝導性が高く経済コストの良い銅などを用いることもできる。
【符号の説明】
【００２１】
１  筐体
２  実装基板
３  ＬＥＤ素子
５  平面部
６  横凹溝
７  ボス部
８  固定ネジ
９  立凹溝
１０  放熱フィン
ａ  垂直辺
ｂ  水平辺
ｃ  テーパ受部
ｄ  テーパ受部
１１  押圧リング
１３  押圧リング
１６  口金
２０  空気流通穴
【図１】
2014011100.tif 000003
【図２】
2014011100.tif 000004
【図３】
2014011100.tif 000005
【図４】
2014011100.tif 000006
【図５】
2014011100.tif 000007